(57)【要約】【課題】従来はＩＳＤＮ回線にたいして電話番号を付加したり変更、アナログ音声信号を混合したりする場合、一旦アナログ回線に変更した後に処理を行うためにアナログ回線になり、効率が悪くなり実用的でなかった。さらにＩＳＤＮ回線に接続した場合でも、回線の接続ポイントが限定されずに接続ができない場合が多く実用的でなかった。【解決手段】ＩＳＤＮ回線のデータ信号をデジタル信号のままダイヤル番号の付加、削除、変更などを行うことでアナログ信号に変換する必要がなくなる。また、ＩＳＤＮ回線の接続ポイントを設定変更により変更できるようにし、くわえてアナログ音声信号とデジタル音声信号を相互に変換することで上記課題を解決する。【選択図】図４
2007336505.tif 000002
【特許請求の範囲】
【請求項１】
少なくとも１つのＩＳＤＮ回線に接続されるとともに、ＩＳＤＮ回線とのＵ点インターフェースと、Ｓ／Ｔ点インターフェースを有し、希望する接続挿入ポイントを変更可能にするとともに接続挿入ポイントにあわせたデジタル信号の整合を行うアダプターであって、ＩＳＤＮ回線の接続部とＤＳＵ部とＳ／Ｔ点インターフェース部と、ＯＣＵ部と、前記各部を希望する接続挿入ポイントに必要に応じ結合させる結合部ならびに、各部を制御する制御部とデータなどを記憶するメモリー部を備え、通信端末と局側交換機間のデジタル信号での双方向変換並びに加工処理などを行うことを特徴とするデジタル通信回線多点接続アダプター。
【請求項２】
アナログ通信回線インターフェースを備えるとともに、ＩＳＤＮ回線のデジタル信号と前記アナログ通信回線のアナログ信号との相互変換を行うことを特徴とする請求項１のデジタル通信回線多点接続アダプター。
【請求項３】
音声信号インターフェースを備えるとともに、ＩＳＤＮ回線のデジタル信号と前記音声信号のアナログ信号との相互変換を行うことを特徴とする請求項１ないし請求項２のデジタル通信回線多点接続アダプター。
【請求項４】
少なくとも２つのデジタル通信回線多点接続アダプターが連結され、動作データが記憶された少なくとも１つのデジタル通信回線多点接続アダプターの記憶部データを複数のデジタル通信回線多点接続アダプターが共有し前記のデータをもとに機能動作を行うことを特徴とする請求項１ないし請求項３のデジタル通信回線多点接続アダプター。
【発明の詳細な説明】
【技術分野】
【０００１】  本発明は、ＩＳＤＮ回線に接続し、接続点を任意に設定変更し、番号付加、音声信号を混合し双方向通信ができるデジタル通信回線多点接続アダプターに関する。
【背景技術】
【０００２】  近年、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線が急速に普及し、一般のビジネスホンなどに多くの接続がされ利用されている。図１がその例で、交換局１のＯＣＵ２を経由しＤＳＵ４に接続されデータ変換がなされＳ／Ｔ点を構成した後にＴＡ（ターミナルアダプター）に接続し、ＴＡの出力端子に電話機６を接続し利用するものである。実際にはビジネスホンの主装置や構内交換機（ＰＢＸ）などに収容される。ＴＡからは一般的に２本に相当するアナログ電話回線が出力されちるので２回線分のアナログ電話回線の利用ができる。このＯＣＵ２とはＩＳＤＮ回線の交換局側の終端装置でＤＳＵ４は電話端末側の終端装置である。【０００３】  また近年は発信時において電話番号の先頭にある４桁〜６桁程度の番号を付加してダイヤル発信すれば通話料金が安くできる装置が開発された。この動作は、ＴＡ５と電話機６の間に設置し、電話機６からのダイヤル信号、すなわちプッシュ信号、またはダイヤルパルス信号を判断し、希望するダイヤル番号を付加した上でＴＡ５に対してアナログ発信を行うものである。しかしながらこの場合においてはＩＳＤＮ回線が直接電話機６に直接接続されている場合は接続ができないことになる。そのなかでデジタル回線に対して番号を付加したりする装置なども製品化されているが、そのアダプターの挿入接続ポイントは、図２のＵ点とＵ点間、これは局側交換機１のＯＣＵ２のＵ点とＤＳＵ４のＵ点間にアダプター８を入れることになる。つまりこのアダプター８は両端子ともにＵ点となる。Ｕ点とＳ／Ｔ点間、図３のＳ／Ｔ点とＳ／Ｔ点間はＤＳＵ４のＳ／Ｔ点とビジネスホン側のＳ／Ｔ点の間に接続されるのでこのアダプター８は両端子がともにＳ／Ｔ点となる。前述のパターンの３種類が存在する。この機能動作は接続された電話機からのＩＳＤＮ回線にデジタル化されたダイヤル番号を判定し別な番号を付加した上で交換局側１にダイヤル発信送出するものである。たとえば使用者は普段と変わらず相手先番号をダイヤルすると、前述のアダプターはダイヤルされた番号の先頭に番号を追加したダイヤルとし発信するものである。実際にはダイヤルされた番号を判定し、付加番号を付加することや付加しないなども基準を決めて動作している。【０００４】  しかし、この挿入接続ポイントは３種類のうちどれか１つに固定されていてＵ点とＵ点間の接続仕様のものはＵ点とＳ／Ｔ点間にはもちろん接続できないし、アダプターの設定変更などでの挿入接続ポイントの切り替えができない。すなわちＵ点とＵ点の接続のアダプターをＵ点とＳ／Ｔ点間に接続するためには別なアダプターを新たに購入しないと使えないことになる。
【発明の開示】
【発明が解決しようとする課題】
【０００５】  前述のように、ＩＳＤＮ回線と通信端末間の接続挿入ポイントとアダプターの挿入接続点ポイントが異なる場合は全く接続ができないので、別のアダプターを新たに購入し接続することになり非経済的であるし、仕方なく設置をとりやめ別のアダプターを用意した上でまた再設置するという手間が発生し、効率が悪く使い勝手が非常に悪かった。
【課題を解決するための手段】
【０００６】
【０００７】  本発明は、少なくとも１つのＩＳＤＮ回線に接続されるとともに、ＩＳＤＮ回線とのＵ点インターフェースと、Ｓ／Ｔ点インターフェースを有し、希望する接続挿入ポイントを変更可能にするとともに接続挿入ポイントにあわせたデジタル信号の整合を行うアダプターであって、ＩＳＤＮ回線の接続部とＤＳＵ部とＳ／Ｔ点インターフェース部と、ＯＣＵ部と、前記各部を希望する接続挿入ポイントに必要に応じ結合させる結合部ならびに、各部を制御する制御部とデータなどを記憶するメモリー部を備え、通信端末と局側交換機間のデジタル信号での双方向変換並びに加工処理などを行うことを特徴とするデジタル通信回線多点接続アダプターを請求項１の発明としさらに、アナログ通信回線インターフェースを備えるとともに、ＩＳＤＮ回線のデジタル信号と前記アナログ通信回線のアナログ信号との相互変換を行うことを特徴とする請求項１のデジタル通信回線多点接続アダプターを請求項２の発明とし、音声信号インターフェースを備えるとともに、ＩＳＤＮ回線のデジタル信号と前記音声信号のアナログ信号との相互変換を行うことを特徴とする請求項１ないし請求項２のデジタル通信回線多点接続アダプターを請求項３の発明とし、少なくとも２つのデジタル通信回線多点接続アダプターが連結され、動作データが記憶された少なくとも１つのデジタル通信回線多点接続アダプターの記憶部データを複数のデジタル通信回線多点接続アダプターが共有し前記のデータをもとに機能動作を行うことを特徴とする請求項１ないし請求項３のデジタル通信回線多点接続アダプターを請求項４の発明とし上記課題を解決するものである。
【実施例】
【０００８】  図４は、デジタル通信回線多点接続アダプターのブロック図である。【０００９】  以下図に従って説明する。図４でＵ点部９−１はＩＳＤＮ回線が接続される端子でありこのＵ点部９−１はアダプター８内部のＤＳＵ部１１に接続される。このＩＳＤＮ回線は一般的には局側交換局から局内交換機のＯＣＵ部を経由しＵ点部９−１まで２本の銅線で接続される。さらにこのＤＳＵ部１１は結合部１５を経由しＩ／Ｆ部１２に接続され外部端子としてＳ／Ｔ点部１０−１をアダプター８の外部に設ける。結合部１５はＤＳＵ部１１、Ｉ／Ｆ部１４、ＯＣＵ部１３、Ｉ／Ｆ部１４、アナログインターフェース部１８を結合するように構成される。【００１０】  結合部１５に接続されたＩ／Ｆ部１２は外部にＳ／Ｔ点部１０−１を持ちさらにＯＣＵ部１３はＵ点部９−２を外部に持つ。このＵ点部９−２は別外部ＤＳＵに接続される。さらにＣＰＵ部１６は前述された各部の制御などや結合処理などを行い、メモリー部１７に記憶されたデータを読み取り、ＤＳＵ部１１とＩ／Ｆ部１２とＯＣＵ部１３、Ｉ／Ｆ部１４の接続パターンを変更制御する。さらにこのメモリー部にはプログラムが格納されており、Ｕ点の２線からＳ／Ｔ点４線へ、同様にＳ／Ｔ点からＵ点にデータ変換するためのシーケンスやアナログ信号とデジタル信号を結合する処理プログラムなども格納されている。結合部１５に接続されたアナログインターフェース部１８は一般公衆回線のアナログ電話機が接続できるような機能を持ち外部端子のモジュラー端子部１９部を持つ。【００１１】  本発明の一連の動作を順に説明する。まずＵ点とＵ点間に接続する本発明の説明をする。【００１２】  本発明のアダプター８がＵ点とＵ点間に接続されるように設定したとする。この設定方法はたとえば、本体にスイッチを備え切替えたり、ソフトウェアの書き込みを行うことや、接続された電話機などからプッシュ信号で操作しＵ点とＵ点間に接続された動作を行うように設定をすればよい。この設定はメモリー部１７に記憶することでどの接続点での動作なのかメモリー部１７を読み取れば即座にわかるようになっている。また別な方法とアダプター８の内部に各々の接続挿入ポイントに適合するように差し込み可能な回路や部品として用意し、必要なときに差し込んで接続挿入ポイントが変更できるようにしても良い。【００１３】  Ｕ点部９−１は局交換局のＯＣＵに接続され２線での接続が行われる。Ｕ点部９−１は具体的にＲＪ−１１と呼ばれるモジュラジャックでの接続が一般的で簡単に差込接続できるようになっている。Ｕ点部９−１からの信号はＤＳＵ部１１を経由した後、結合部１５へ伝達することになる。【００１４】  ＣＰＵ部１６は本アダプター８がＵ点、Ｕ点間接続であることをメモリー部１７のデータから読み取り認識できるので、結合部１５を動作させＯＣＵ部１３とを接続する。つまりＵ点部９−２、ＤＳＵ部１１、結合部１５、ＯＣＵ部１６、Ｕ点部９−２が電気的に接続されることになる。結合部１５はＤＳＵ部１１とＯＣＵ部１３との間でデジタル信号の送受を行うのでＵ点部９−１とＵ点部９−２との信号のデータ伝送ができる。【００１５】  このことから、たとえば電話機からのダイヤル番号に付加したい番��があるとすれば、あらかじめメモリー部１７内部にその番号を記憶すれば良い。結合部１５でＯＣＵ部１３からＤＳＵ部１１にデータを伝送するときに、メモリー部１７から記憶された、付加番号を読み取り、番号を入れ込んだ後ＤＳＵ部１１に伝送すればＵ点９−１を経由し局交換局ＯＣＵに付加した番号で発信されることになる。以上は発信時にダイヤル番号を付加する場合の説明であるが、一方着信時においてはダイヤル番号などの追加や変更は必要ないので結合部１５は信号データを変更することなくＯＣＵ部１３に伝送すればよい。【００１６】  つぎに設定をＵ点、Ｓ／Ｔ点間に接続すると設定変更をした場合を説明する。設定変更の方法は前述のとおりであり、ＣＰＵ部１６は本アダプター１がＵ点、Ｓ／Ｔ間接続であることをメモリー部１７から読み取り認識できるので結合部１５を動作させＩ／Ｆ部１４とを接続する。つまりＵ点部９−１、ＤＳＵ部１１、結合部１５、Ｉ／Ｆ部１４、Ｓ／Ｔ点部１０−２が電気的に接続されることになる。結合部１５はＤＳＵ部１１とＩ／Ｆ部１４、Ｓ／Ｔ点部１０−２との間でデジタルデータの送受を行うのでＵ点部９−１とＳ／Ｔ点部１０−２との信号のデータ伝送ができる。結合部１５は前述のとおりデジタルデータの変換などや番号データの挿入などを行う。【００１７】  つぎに設定をＳ／Ｔ点、Ｓ／Ｔ点間に接続すると設定変更をした場合を説明する。設定変更の方法は前述同様で、ＣＰＵ部１６は本アダプター８が、ＳＴ間接続であることをメモリー部１７から読み取り認識できるので結合部１５を動作させＩ／Ｆ部１２とＩ／Ｆ部１４とを接続する。つまりＳ／Ｔ点部１０−１、Ｉ／Ｆ部１２、結合部１５、Ｉ／Ｆ部１４、Ｓ／Ｔ点部１０−２が電気的に接続されることになる。結果的にＳ／Ｔ部１０−１とＳ／Ｔ部１０−２が結合部１５を通して信号のデータ伝送が可能になる。【００１８】  次にアナログインターフェース部１８であるが、この機能はアナログの電話を接続するモジュラー端子１９を外部に持つ。この端子には一般の公衆回線が接続されることになる。たとえば電話端末側のＵ点９−２より発信を行った場合ＯＣＵ部１３、結合部１５に入るが結合部１５はデジタル信号をアナログに変換しアナログ信号に変えてモジュラー端子１９を経由し一般のアナログ公衆回線に発信することができる。つまり電話機側からのデジタル信号をアナログ信号に変換し別回線を利用した通信が可能になる、もちろん一般の公衆回線からのアナログ信号をデジタル信号に変換するのでモジュラー端子１９とＵ点９−２での相互伝送ができる。【００１９】  前述の内容はもちろんＵ点ばかりでなく結合部１５を動作させてＳ／Ｔ部に接続すれば、この間での相互伝送が可能になる。この場合でも結合部１５の変換手順を変えるだけで簡単に行う事ができる。【００２０】  またＵ点、Ｕ点間でのデジタル回線の接続時、結合部１５をアナロインターフェース部１８と結合する。つまりデジタル回線とアナログ回線とが通話できる。この場合はデジタルでの通信中の中で信号の取り出し、挿入も可能になる。またアナログ回線を電話回線ということに限定しなく、音声信号を入力したりすればデジタル回線の相互接続中で会話の取り出しなどや、逆に音声や音楽���デジタル回線に挿入することができるので、非常に便利である。【００２１】  かかる発明によればデジタル回線の中間からアナログ回線への取出しができ、交換機や電話機などにデジタル回線の入力しか持たないものでもアナログ回線を利用することができる。【００２２】  当然ながら交換機などに収容される回線は複数回線であることがおおい。しがって本発明のアダプターは複数台設置されることは当たり前のことであるので前述したダイヤル番号に別な番号を付加したい場合はアダプターごとに付加番号を登録しなければならなく設置時の手間かかり実用的ではない。このような場合は一台のアダプター１のメモリー部１７に登録した付加番号を他アダプターが共有すれば設置時の手間がかからぬ上に間違いも回避できることになる。もちろん付加番号のみの共有ばかりでなく動作上の機能や細かい設定データなども一つのアダプターに登録し、他アダプターがそのデータを読み取れば複数アダプターが同じ設定となり、誤設定なども防ぐこともできるのでさらに効率アップが図れることになる。また本発明は説明のために結合部１５とＣＰＵ部１６並びにメモリー部１７を別の構成としたが、ＣＰＵ部１６内部にメモリー部１７を持ってもよいし、結合部１５のデータ処理などをＣＰＵ部１５が行っても同様の効果が得られる。
【発明の効果】
【００２３】
【００２４】  本発明に係わる発明により、電話機や交換機などにＩＳＤＮのデジタル回線が収容されていた場合でもアナログ回線の接続ができ、アナログ回線とデジタル回線、デジタル回線とアナログ回線のように相互接続が可能になりアナログ、デジタルに関係なく回線を接続運用ができる。
また、ＩＳＤＮなどのデジタル回線の接続ポイントも設定変更が簡単にできるので接続される機種は限定されず大変使い勝手がよいアダプターとなる。さらに初期データなどの共有化もできるようになり設置、保守など容易にできるようになる。
【００２５】
【図面の簡単な説明】
【００２６】
【図１】従来のＩＳＤＮの接続図である。
【図２】従来の接続形態図である。
【図３】従来の接続形態図である。
【図４】本発明に係わる構成図である。
【符号の説明】
【００２７】      １        …  局側交換局
２        …  局側交換局ＯＣＵ
３        …  ＩＳＤＮ回線
４        …  ＤＳＵ部
５        …  ＴＡ
６        …  電話機
７        …  アナログ電話回線
８        …  アダプター
９        …  Ｕ点部
９−１    …  Ｕ点部
９−２    …  Ｕ点部
１０−１  …  Ｓ／Ｔ点部
１０−２  …  Ｓ／Ｔ点部
１１      …  ＤＳＵ部
１２      …  Ｉ／Ｆ部
１３      …  ＯＣＵ部
１４      …  Ｉ／Ｆ部
１５      …  結合部
１６      …  ＣＰＵ部
１７      …  メモリー部
１８      …  アナログインターフェース部
１９      …  モジュラー端子部
【図１】
2007336505.tif 000003
【図２】
2007336505.tif 000004
【図３】
2007336505.tif 000005
【図４】
2007336505.tif 000006